(57)【要約】【課題】既存のメガネに装着でき、メガネを掛けたままで使用できるアイマスク照明装置を供給することにある。【解決手段】目の前方を覆うように外からの光を遮光する遮光性の部材にて形成されたアイマスク本体と、このアイマスク本体の内側に設けられた光を発する光源と、を備えたアイマスク照明装置において、既存のメガネに着脱自在に装着し得る装着部と、この装着部によりアイマスク本体を既存のメガネに装着したときに、アイマスク本体と目の周辺との間に生じる隙間を塞ぐ鍔部をアイマスク本体に設けたことを特徴とする。【選択図】　　　　図１
2004105384.tif 000002
【特許請求の範囲】
【請求項１】
目の前方を覆うように外からの光を遮光する遮光性の部材にて形成されたアイマスク本体と、このアイマスク本体の内側に設けられた光を発する光源と、を備えたアイマスク照明装置において、既存のメガネに着脱自在に装着し得る装着部と、この装着部によりアイマスク本体を既存のメガネに装着したときに、アイマスク本体と目の周辺との間に生じる隙間を塞ぐ鍔部をアイマスク本体に設けたことを特徴とするアイマスク照明装置。
【請求項２】
前記装着部は、前記アイマスク本体を既存のメガネと瞼との間に位置するように装着できるものであることを特徴とする請求項１記載のアイマスク照明装置。
【請求項３】
前記装着部は、前記鍔部の上方又は前記アイマスク本体の上部の少なくとも一方から既存のメガネに引掛けることが可能な垂下した片を有することを特徴とする請求項２記載の照明器具。
【請求項４】
前記装着部は、前記鍔部又は前記アイマスク本体の少なくとも一方から突出したもので、既存のメガネの柄の部分を巻くようにして取り付けし得るような可撓性を有した材料で形成されたことを特徴とする請求項２記載の照明器具。
【発明の詳細な説明】
【０００１】
【発明の属する技術分野】
本発明は、目の近傍で光を照射することにより、周囲に影響を与えないで人を眠りから覚ますことができるアイマスク照明装置に関する。
【０００２】
【従来の技術】
この種のアイマスク照明装置としては、実用新案登録第３０２０３２１号公報に開示されたものがあり、図５は、その概略図である。このアイマスク照明装置は、アイマスク本体１内にタイマー機構Ｂと発光源Ａを内蔵したものである。このアイマスク照明装置は、人が眠っているときに目の前で光を点灯させることにより、周囲の人に気付かれずに目覚ることができるもので、人を起こすときに目覚まし時計のように、周囲の人に迷惑をかけるおそれなく、目覚めることができると言う点で有用なものであった。
【０００３】
このものをさらに詳しく述べると、発光源Ａとしては、ＬＥＤ又は面発光体が用いられ、タイマー機構Ｂには、タイマー付きの制御部が内蔵されている、そして、発光源Ａとタイマー機構Ｂの間には、この間を配線するリード線６０が設けられている。また、発光源Ａは、図のように両目に当る部位に２個設けていたものであったが、面発光体を用いて広く発光させることも可能なものであった。
【０００４】
また、発光源Ａが発光する間の時間や発光の強弱あるいは点滅する間隔をタイマー機構Ｂで設定可能としており、さらに発光源Ａは、選択することによって発光色を赤、黄、緑などとすることも可能なものであった。そして、その他にも、図示したように、耳にかける紐５０を必要に応じて設けてもかまわないものであった。
【０００５】
【特許文献１】
実用新案登録第３０２０３２１号公報（第１頁、図５）
【０００６】
【発明が解決しようとする課題】
ところが上記したアイマスク照明装置をメガネをかけた人が電車や飛行機による移動中に装着した場合、通常、メガネはアイマスク照明装置が邪魔になるのでかけることができず、外されることが多かった。従って、メガネを電車や飛行機に備え付けの簡易テーブルの上に置いたり、別に準備されたメガネケースに入れて鞄に収納するなど、その保管を別途行う必要があった。
【０００７】
本発明は、上記事由に鑑みてなしたもので、その目的とするところは、既存のメガネに装着でき、メガネを掛けたままで使用できるアイマスク照明装置を供給することにある。
【０００８】
【課題を解決するための手段】
請求項１に係る発明は、目の前方を覆うように外からの光を遮光する遮光性の部材にて形成されたアイマスク本体と、このアイマスク本体の内側に設けられた光を発する光源と、を備えたアイマスク照明装置において、既存のメガネに着脱自在に装着し得る装着部と、この装着部によりアイマスク本体を既存のメガネに装着したときに、アイマスク本体と目の周辺との間に生じる隙間を塞ぐ鍔部をアイマスク本体に設けたことを特徴とする。
【０００９】
請求項２に係る発明のアイマスク照明装置は、請求項１において、前記装着部は、前記アイマスク本体を既存のメガネと瞼との間に位置するように装着できるものであることを特徴とする。
【００１０】
請求項３に係る発明のアイマスク照明装置は、請求項２において、前記装着部は、前記鍔部の上方又は前記アイマスク本体の上部の少なくとも一方から既存のメガネに引掛けることが可能な垂下した片を有することを特徴とする。
【００１１】
請求項４に係る発明のアイマスク照明装置は、請求項２において、前記装着部は、前記鍔部又は前記アイマスク本体の少なくとも一方から突出したもので、既存のメガネの柄の部分を巻くようにして取り付けし得るような可撓性を有した材料で形成されたことを特徴とする。
【００１２】
【発明の実施の形態】
本発明の実施の形態を図１〜３を用いて説明する。図１はアイマスク照明装置の模式図、図２はこのものをメガネに装着する前の状態を示す側面図、図３は人がこのものをメガネに装着し、そのメガネをかけたときの側面から見た模式図である。
【００１３】
このアイマスク照明装置は、目の前方を覆うように外からの光を遮光する遮光性の部材にて形成されたアイマスク本体１と、このアイマスク本体１の内側に設けられた光を発する光源３と、導光板４０と、タイマー機構Ｂと、を備えている。
【００１４】
アイマスク本体１は、シリコンゴムや弾性を有した合成樹脂などにより、目の前方を覆うのに適した横に長い長方形に形成されている。
【００１５】
光源３は、アイマスク本体１の長手方形の両側に設けられており、例えば、ＬＥＤや面発光体、光ファイバーなどが使用される。
【００１６】
導光板４０は、例えば、アクリルなどの合成樹脂によりメガネＣのレンズ部分と同等又はやや小さめにの形状に形成されている。そして、その裏面つまりアイマスク本体１側の面には、光を目の方向に、かつ、できるだけ均一に放射させるための、例えばその表面を凸凹の形状とする加工がなされている。そして、この導光板４０は、その端面を光源３が接触、又は、わずかに離れる程度の位置に、アイマスク本体１に取りつけられている。
【００１７】
タイマー機構Ｂは、光源３の点灯や消灯を制御するもので、光源３が発光する時間や発光と発光の間隔や発光の強弱などを制御する制御回路を内蔵している。
【００１８】
ここで重要なことは、既存のメガネＣに着脱自在に装着し得る装着部５と、この装着部５によりアイマスク本体１を既存のメガネＣに装着したときに、アイマスク本体１と目の周辺との間に生じる隙間を塞ぐ鍔部６をアイマスク本体１に設けたことである。そして、装着部５にアイマスク本体１を既存のメガネＣと瞼との間に位置するように装着できるように、アイマスク本体１の上部から既存のメガネＣに引掛けることが可能な垂下した片５ａを設けたことである。具体的には、装着部５は、図２に示すようにアイマスク本体１から目と逆の方向に突出しており、垂下した片５ａによりアイマスク本体１との間でメガネＣのレンズ部を挟持する構造になっている。従って、装着部５は、弾性を有する素材の上にレンズ部を傷めにくい素材を設ける２重構造にすることが望ましい。また、鍔部６は、遮光性を有したシリコンゴムなどでアイマスク本体１の周囲全体に設けており、例えば、アイマスク本体１よりもやわらかい素材のシリコンゴムやスポンジなどが望ましい。
【００１９】
このように構成されたアイマスク照明装置は、装着部５とアイマスク本体１との間でメガネＣのレンズ部分を挟持することにより、人が掛けている既存のメガネＣに取り付けられる。さらに、このアイマスク照明装置が取り付いたメガネＣを掛けると、アイマスク本体１と、このアイマスク本体１と目の周辺との間に生じる隙間を塞ぐように設けられた鍔部６と、により外光が遮られ、睡眠のしやすい環境となる。このとき鍔部６により、導光板４０と瞼との間には、空間が確保され、瞼と導光板４０とは、接触しにくいものとなる。
【００２０】
このようにして装着されたアイマスク照明装置は、タイマー機構Ｂを予め目覚めたい時間に設定しておくことにより、所定の時間に動作を開始する。そして、アイマスク照明装置が動作すると、眠っている人の目の前で光が点灯し、周囲の人に気付かれず、かつ目覚まし時計の音のように周囲の人に迷惑をかけることなく目覚ることができる。
【００２１】
この実施の形態によると、既存のメガネＣに着脱自在に装着し得る装着部５と、この装着部５によりアイマスク本体１を既存のメガネＣに装着したときに、アイマスク本体１と目の周辺との間に生じる隙間を塞ぐ鍔部６を設けたことにより、既存のメガネＣに装着できるものとなり、さらに、このメガネＣを装着したときには、鍔部６により外光の遮断状態が確保できるとともに、合成樹脂などで形成され瞼に触れると不快な導光板４０を瞼に接触しにくいものとすることができる。さらに、装着部５をアイマスク本体１を既存のメガネＣと瞼との間に位置するように装着できるものとしたことにより、アイマスク照明装置を既存のメガネＣと目の間に収まるコンパクトなものとすることができる。
【００２２】
なお、光源３の位置については、導光板４０の端面であればどこの位置でもよく、例えば、下側の端面や、左右の目の間に位置する端面に設けてもよい。さらに、導光板４０は、全体を面光源に置き換えてもよい。
【００２３】
また、装着部５は、鍔部６の上方から既存のメガネＣに引掛けることが可能な垂下した片５ａを有してもよく、この場合は、メガネＣの柄の部分にアイマスク照明装置を装着できるものとなる。さらに、装着部５は、鍔部６又はアイマスク本体１の少なくとも一方から突出したもので、既存のメガネＣの柄の部分を巻くようにして取り付けし得るような可撓性を有した材料で形成されたものでもよく、この場合、先端に着脱自在の布製のテープを設けることにより、メガネＣの大きさや形状がかなり違っても取り付けることができるものとなる。
【００２４】
さらに、前記した鍔部６をアイマスク本体１に一体成形してもよく、この場合には、鍔部６とアイマスク本体１との接合部の隙間を容易に塞ぐことができる。また、鍔部６は、顔面の凹凸に応じて目の周囲にぴったりとフィットさせる程度に伸縮性を持ったものや、顔面にぴったりとフィットさせるために、予め顔面の凹凸に応じて鍔部６の高さを加工したものが望ましい。アイマスク照明装置が、このようにぴったりと顔面にフィットして取りつけられた場合は、眠っている人の顔の向きが不意に変ってもメガネのがたつきを少なくすることができる。さらに、メガネが何かに当ったような場合においても、鍔部６にてその衝撃を吸収することができるので、メガネだけを掛けて同じ衝撃を受けた場合よりも、目やその周囲の部分への衝撃をやわらげることができる。このことは、メガネをかけて仮眠を取っている人にとっては有用である。
【００２５】
次に、前述した実施の形態の応用例を説明する。図４は、この応用例の概略構成を示す図であり、図４（ａ）は正面図、図４（ｂ）は断面図を示す。この応用例は、前述した導光板４と、装着部５と、の構成を変えたものである。このものは、前述した導光板４を光源３からの光を導入する導光部材４０ａと光を拡散したり反射させる拡散反射部材４０ｂとで構成し、同導光部材４０ａの周縁部から光源３の光を導入するようにするとともに、前述した装着部５を鍔部６から突出したもので、既存のメガネＣの柄の部分を巻くようにして取り付けし得るような可撓性を有した材料としたものである。なお、その他の発明の実施の形態と同一の構成部材には、同一符号を付すことにより説明を省略する。
【００２６】
ここで光源３は、アイマスク本体１の内側で導光部材４０ａの周縁部であれば、どのような位置に配置されていてもよく、ここでは導光部材４０ａの左右両側方に配置している。また、導光部材４０ａと拡散反射部材４０ｂとは、アイマスク本体の内側に重ねて形成され、かつ、導光部材４０ａが目に近い側に配置されている。さらに、装着部５は、例えば厚手の布で形成され、その先端には着脱自在の布製のテープが設けられている。
【００２７】
このように構成されたアイマスク照明装置は、鍔部６から突出した装着部５によりメガネＣの柄の部分を巻くようにして、人が掛けている既存のメガネＣに取り付けられる。さらに、このアイマスク照明装置が取り付いたメガネＣを掛けると、アイマスク本体１と、このアイマスク本体１と目の周辺との間に生じる隙間を塞ぐように設けられた鍔部６と、により外光が遮られ、睡眠のしやすい環境となる。このとき鍔部６により、導光板４０と瞼との間には、空間が確保され、瞼と導光板４０とは、接触しにくいものとなる。
【００２８】
この応用例によると、装着部５を鍔部６から突出したもので、既存のメガネＣの柄の部分を巻くようにして取り付けし得るような可撓性を有した材料としたことにより、既存のメガネＣに装着でき、メガネＣを掛けたままでアイマスク照明装置を使用することができる。さらに、着脱自在の布製のテープの固定部分を大きく形成すれば、メガネＣの大きさや形状がかなり違っても取り付けることができるものとなる。
【００２９】
さらに、使用者の視野の外側、つまり、導光部材４０ａの周縁部から光源３の光を導いて、拡散反射部材４０ｂにて光を拡散したり反射させるので、発光部分を大きくとるとともに、発光部分の輝度も均一なものとすることができる。さらに光源３から出たスポット的な光は、発光部分を大きくすることにより、輝度が低下するので、眩しさを軽減したやわらかい光にすることができ、使用者の不快感をなくすことができるものとなる。また、使用者の目の前に従来設置されていたような電気部品や電子部品を排除することができるようになるために、使用者への違和感や不安感も解消され、安心して使用することができるものとなる。
【００３０】
なお、導光部材４０ａが、ゲルを構成できる素材、または、ラバーを構成できる素材のいずれかで構成された軟性体であると、ゲルを構成できる素材、または、ラバーを構成できる素材のいずれかで構成されたことにより、確実な軟性体が得られて、そして、このような軟性体の導光部材４０ａにより、使用者のメガネへのフィット感を向上させることができるものとなる。さらに、メガネのレンズ部分と瞼との間隔が少ない場合は、たとえ鍔部６を設けても、導光部材４０ａが瞼に当たることが考えられるので、導光部材４０ａが、ゲルを構成できる素材、または、ラバーを構成できる素材のいずれかで構成された軟性体であると、導光部材４０ａが瞼に接触したとしても、より違和感の少ないものとすることができる。
【００３１】
さらに、上記ゲルを構成できる素材が、α　−ＧＥＬ（ジェルテック製）であると、このようなα　−ＧＥＬ（ジェルテック製）としたゲルを構成できる素材により、目を覆う導光部材４０ａとして衝撃吸収能力を高くすることができる。従って、不意に顔面部に衝撃が加わるようなことがあっても、目を保護することができるものとなる。
【００３２】
また、上記ラバーを構成できる素材が、アクリル、酢酸ビニル、フッ素系樹脂、スチレン、塩化ビニル、生分解性プラスチック、ポリエチレン、オレフィン、ポリエステル、ポリウレタン、ポリアミド（ナイロン）のうち、少なくともいずれか１種を含有するものであると、このようなラバーを構成できる素材にてより一層やわらかい軟性体が得られる。そして、このような軟性体の導光部材４０ａにより、敏感な瞼（目）に接触する部分がより一層確実に柔らかくなることで、使用者の目への違和感をより一層向上させることができる。
【００３３】
しかも、導光部材４０ａが、寒天、ゼリー、水ガラス、こんにゃく、ゼラチン、セルロースなどの天然流動体、または、高級脂肪族系炭化水素といった高分子オイルを注入してシート状に加工したものであると、このようなシート状に加工したものにてより一層やわらかな軟性体が得られて、そして、このような軟性体の導光部材４ａにより、使用者の目への違和感をより一層に向上させることができる。
【００３４】
なお、この応用例において、装着部５をアイマスク本体１から突出したもので、既存のメガネＣの柄の部分を巻くようにして取り付けし得るような可撓性を有した材料としてもメガネの形状や大きさがかなり変わっても取りつけられるものとなる。
【００３５】
さらに、装着部５をアイマスク本体１を既存のメガネＣと瞼との間に位置するように装着できるように、鍔部６の上方又はアイマスク本体１の上部から既存のメガネＣに引掛けることが可能な垂下した片を有するものとしてもよい。この場合は、メガネＣに引掛けてアイマスク照明装置を装着できるものとなるので、その着脱が図４のものに比べて、容易なものとなる。
【００３６】
また、前記した鍔部６をアイマスク本体に一体成形してもよく、この場合は、使用する材料や構成部材の種類を減らすことができる。
【００３７】
【発明の効果】
請求項１記載の発明にあっては、目の前方を覆うように外からの光を遮光する遮光性の部材にて形成されたアイマスク本体と、このアイマスク本体の内側に設けられた光を発する光源と、を備えたアイマスク照明装置において、既存のメガネに着脱自在に装着し得る装着部と、この装着部によりアイマスク本体を既存のメガネに装着したときに、アイマスク本体と目の周辺との間に生じる隙間を塞ぐ鍔部をアイマスク本体に設けたことにより、既存のメガネに装着できるとともに、鍔部により隙間からの外光を遮断することができるので、既存のメガネを掛けたままでアイマスク照明装置を使用することができる。
【００３８】
請求項２記載の発明にあっては、前記装着部は、前記アイマスク本体を既存のメガネと瞼との間に位置するように装着できるものであることにより、請求項１に記載の効果を奏するうえに、アイマスク照明装置を既存のメガネと目の間に収まるコンパクトなものとすることができる。
【００３９】
請求項３記載の発明にあっては、前記装着部は、前記鍔部の上方又は前記アイマスク本体の上部の少なくとも一方から既存のメガネに引掛けることが可能な垂下した片を有することにより、請求項２に記載の効果を奏するうえに、装着部とアイマスク本体との間で既存のメガネに取り付けることができ、この場合アイマスク照明装置の着脱が容易なものとなる。
【００４０】
請求項４記載の発明にあっては、前記装着部は、前記鍔部又は前記アイマスク本体の少なくとも一方から突出したもので、既存のメガネの柄の部分を巻くようにして取り付けし得るような可撓性を有した材料で形成されたことにより、請求項２に記載の効果を奏するうえに、さらにメガネの大きさや形状が変わっても取り付けることができる。
【図面の簡単な説明】
【図１】本発明の実施の形態に係るアイマスク照明装置の模式図である。
【図２】同上のアイマスク照明装置をメガネに装着する前の状態を示す側面図である。
【図３】同上のアイマスク照明装置をメガネに装着し、そのメガネをかけたときの側面から見た模式図である。
【図４】同上のアイマスク照明装置の応用例の概略構成を示したもので、図４（ａ）は正面図、図４（ｂ）は、そのＡ−Ａ´断面図である。
【図５】従来例に係るアイマスク照明装置の概略図である。
【符号の説明】
１　　　アイマスク本体
３　　　光源
５　　　装着部
５ａ　　垂下した片
６　　　鍔部
４０　　導光板
４０ａ　導光部材
４０ｂ　拡散反射部材
Ｂ　　　タイマー機構
Ｃ　　　メガネ
【図１】
2004105384.tif 000003
【図２】
2004105384.tif 000004
【図３】
2004105384.tif 000005
【図４】
2004105384.tif 000006
【図５】
2004105384.tif 000007